(57)【要約】 【課題】本発明は筆記具９やメモ紙８を収納したり、取付けたりしてカレンダーに記入した自分の行動予定が確認出来ると共にお知らせやメモ紙８を見易い場所に掲示したり或いはメモを記入することができ、特にお知らせをカレンダーの表面に挟持しておくと、その行動内容の詳細が即座に把握可能なものとなるカレンダーを提供することを目的とする。【解決手段】厚手な台紙のカレンダー本体１の略上半分にカレンダー表示部２を設け、カレンダー本体１の略下半分の左右には、少なくともその一方に上方が開口する袋状のポケット部３を取付けると共に他方の上部にクリップ４を取付け、カレンダー本体１の下端が折曲げられて一体に形成する受皿部５を突設した構成とする。またカレンダー本体１の略下半分の左右どちらか一方の端部に筆記具９を支持するための取付具が６設けられ、ポケット部３の表面に社名などが記入出来る宣伝表示部７を設けると良い。【選択図】図１
2005254529.tif 000002
【特許請求の範囲】
【請求項１】
厚手な台紙のカレンダー本体（１）の略上半分にカレンダー表示部（２）を設け、前記カレンダー本体（１）の略下半分の左右には、少なくともその一方に上方が開口する袋状のポケット部（３）を取付けると共に他方の上部にクリップ（４）を取付け、前記カレンダー本体（１）の下端が折曲げられて一体に形成する受皿部（５）を突設したことを特徴とするカレンダー。
【請求項２】
前記カレンダー本体（１）の略下半分の左右どちらか一方の端部に筆記具（９）を支持するための取付具（６）が設けられた請求項１記載のカレンダー。
【請求項３】
前記ポケット部（３）の表面に社名などを記入するための宣伝表示部（７）が設けられた請求項１記載のカレンダー。
【発明の詳細な説明】
【技術分野】
【０００１】
本発明はカレンダー本体にメモ紙などを掲示でき、筆記具やメモ紙等を具備出来るカレンダーに関する。
【背景技術】
【０００２】
一般にカレンダー表示部には、日付表示の下にメモ記入欄が設けられたものが多くあり、そのメモ記入欄にメモを記入する際、メモ紙や筆記具が近くにない場合が多く、それを探さなければならず、老人等は老眼鏡も探さなければカレンダーを見たり、記入したりするのが面倒であった。このため、筆記具や老眼鏡等を収納して具備出来るカレンダーとして、特開平７−２３２４８８号がある。この構成は、１ヶ月分或いは２ヶ月分のカレンダー表示がされた少なくとも１２枚或いは６枚以上重ねられた月カレンダー用紙と、この月カレンダー用紙の背面に配置され、該月カレンダー用紙の下方或いは下部の両側に突出する台紙と、この台紙の上部或いは上部寄りの部位と前記月カレンダー用紙の上端部とを固定する固定具と、前記月カレンダー用紙より突出している部位の前記台紙に形成された眼鏡や筆記具等を収納するポケットとでカレンダーを構成したものである。
【０００３】
しかしながら特開平７−２３２４８８号は、ポケットに眼鏡や筆記具及びメモ紙等を収納すると、思い付いた事柄のメモ記入や電話の用件のメモ記入或いは伝言記入をする場合に、メモ紙と筆記具を取出して直ぐにメモ紙に記入すれば非常に便利であるが、そのメモ紙は一般にテーブルなどの上に置いたり、冷蔵庫やテレビジョンの前面に貼付けたりしているのが現状である。従ってメモ紙をテーブルなどの上に置くと、それが吹き飛ばされて落ちたり或いはメモ紙の上に物が載せられて見えなくなったりし易くなり、且つ冷蔵庫やテレビジョンの前面に貼付けたりすると、見た目が悪くテープの粘着剤が家電器具に付着してしまう等の問題点があり、メモ紙にメモを記入してもそのメモ紙が見易い場所に掲示できないのが現状であると共にメモを記入したメモ紙がどこかへ紛れ込んで用を足さない場合も多くあった。更に学校からのお知らせや地域の行事のお知らせが１ヶ月程度前に配布される場合が多く、これらの行事をカレンダーのメモ記入欄に記入する際、メモ記入欄が狭いため、行事名と時間などの限られた事項しか記入できないのが現状である。このため、自分の行事予定を記入したカレンダーを見ても行事名と時間しか分らず、例えば、入学式の場合であれば、子供の服装，持ち物，集合場所，駐車場の案内等の詳細な内容は、学校からのお知らせを見ないと確認できないため、前記お知らせを探さなければならず手間が掛かり、お知らせの管理が悪いとそれを探すのに時間が多く掛かってしまう恐れがあり、面倒であった。
【特許文献１】特開平７−２３２４８８号公報
【発明の開示】
【発明が解決しようとする課題】
【０００４】
本発明は筆記具やメモ紙を収納したり、取付けたりしてカレンダーに記入した自分の行動予定が確認出来ると共にお知らせやメモ紙を見易い場所に掲示したり或いはメモを記入することができ、特にお知らせをカレンダーの表面に挟持しておくと、その行事内容の詳細が即座に把握可能なものとなるカレンダーを提供することを目的とする。
【課題を解決するための手段】
【０００５】
本発明は上記現状に鑑みて成されたものであり、つまり、厚手な台紙のカレンダー本体の略上半分にカレンダー表示部を設け、カレンダー本体の略下半分の左右には、少なくともその一方に上方が開口する袋状のポケット部を取付けると共に他方の上部にクリップを取付け、カレンダー本体の下端が折曲げられて一体に形成する受皿部を突設した構成とする。またカレンダー本体の略下半分の左右どちらか一方の端部に筆記具を支持するための取付具が設けられ、ポケット部の表面に社名などが記入出来る宣伝表示部を設けると良い。
【発明の効果】
【０００６】
請求項１のように厚手な台紙のカレンダー本体（１）の略上半分にカレンダー表示部（２）を設け、カレンダー本体（１）の略下半分の左右には、少なくともその一方に上方が開口する袋状のポケット部（３）を取付けると共に他方の上部にクリップ（４）を取付け、カレンダー本体（１）の下端が折曲げられて一体に形成する受皿部（５）を突設することにより、筆記具（９）やメモ紙（８）をポケット部（３）に入れ、又はそれらを受皿部（５）に収納し、或いはメモ紙（８）をクリップ（４）に挟持することが出来るため、カレンダー表示部（２）のメモ記入欄に記入することが簡単に行えると共にメモしたメモ紙（８）や学校行事或いは地域行事のお知らせを見易い場所、つまりカレンダー本体（１）の表面に掲示することが可能となる。従って、従来の如きメモ紙（８）をテーブルの上に置いた時に発生していた落下の恐れがなくなり、物が載せられて見えなくなる心配もなくなると共に冷蔵庫などの家電機器にメモ紙（８）を貼付ける必要がなくなるため、家電機器にテープの粘着剤が付く恐れもなくなった。特にカレンダー本体（１）のメモ記入欄とクリップ（４）で掲示したメモ紙（８）やお知らせの内容が常時確認出来るので、自分の行事予定の把握と共にその内容が即座に確認でき、あわてることが日常生活に於いて少なくなる。
【０００７】
請求項２のようにカレンダー本体（１）の略下半分の左右どちらか一方の端部に筆記具（９）が支持されるための取付具（６）を設けることにより、筆記具（９）の具備が簡単に出来るものとなり、必要な時に筆記具（９）を取出してメモ紙（８）にメモすることが出来るので、あわてることなく、確実に電話などの内容を記入することが可能なものとなる。
【０００８】
請求項３に示すようにポケット部（３）の表面に社名などが記入されるための宣伝表示部（７）を設けることにより、贈答用のカレンダーとして使用出来るものとなる。
【発明を実施するための最良の形態】
【０００９】
図１は本発明の実施形態を示す図であり、これに基づいて説明する。（１）は厚手な台紙のカレンダー本体であり、（２）はカレンダー本体（１）の略上半分に設けたカレンダー表示部であり、該カレンダー表示部（２）には１ヶ月分だけを表示した１２枚の月カレンダー用紙を用意するか、或いはそこに１２ヶ月分をまとめて印刷したものとしても良い。尚、前記カレンダー本体（１）が、カレンダー表示部（２）側と、下半分側を区別し、後から貼着して一体化されたものとしても良い。（３）はカレンダー本体（１）の略下半分の左側に取付け且つ上方が開口すると共に側面には拡張可能になるように折畳まれた袋状のポケット部であり、該ポケット部（３）は紙製で袋状のものを貼付けたものとしても良い。尚、前記ポケット部（３）の位置は左側だけに限定されるものではなく、右側に或いは両側に設けても良い。（４）はカレンダー本体（１）の略下半分の右側上部に取付けられた２つのクリップであり、該クリップ（４）は薄い金属板や合成樹脂板が折曲げられて弾力を有した形状に形成され、そのクリップ（４）はカレンダー本体（１）に貼着或いは切溝などに通して取付けられている。尚、前記クリップ（４）は１つだけ取付けたものとしても良く、且つ左側に取付けても良い。（５）はカレンダー本体（１）の下端全辺を折曲げて一体に形成された受皿部であり、該受皿部（５）はカレンダー本体（１）の前面に突設した断面形状がコの字状であるが（図３参照）、Ｌ字状としても良い。尚、前記受皿部（５）の両側に折片を設けて断面形状が保持される構造或いは差込片を適宜に設けてカレンダー本体（１）に差込む構造としても良い。（６）はカレンダー本体（１）の略下半分の左右どちらか一方の端部に筆記具（９）を支持するために設けた取付具であり、該取付具（６）はカレンダー本体（１）と一体の台紙で突片を形成し、その突片を湾曲状に形成させて筆記具（９）を挟持或いは前記突片に筆記具（９）のクリップ部を引掛けるようにすると良い。尚、別に設けた取付具（６）をカレンダー本体（１）に取付けたものとしても良い。（７）はポケット部（３）の表面に社名及びキャッチフレーズなどを記入するための宣伝表示部である。
【００１０】
図２は本発明の別実施形態を示す図であり、これは前記実施形態に比べ、カレンダー表示部（２）が２ヶ月分ずつ表示され、６枚の月カレンダー用紙を用意したものである。また２ヶ月分ずつ表示されたカレンダー表示部（２）の中央には分離用のミシン目（21）が設けられている。他は同一である。尚、前記ミシン目（21）を分離し、且つ次の月分のカレンダーを並べると、予定の記入がし易いものとなる。
【００１１】
図３は本発明品の使用状態を示す図であり、これについて説明する。先ず始め図３（ａ）は受皿部（５）に筆記具（９）が収納された状態を示しているが、コの字状の断面形状を有した受皿部（５）内部にメモ紙（８）を立掛けても良い。次に図３（ｂ）は取付具（６）に筆記具（９）が挟持された状態を示し、図３（ｃ）はクリップ（４）にメモ紙（８）の上部を挟持させて図１や図２に示すようにメモ紙（８）が掲示されている状態を示す。更に図３（ｄ）はポケット部（３）の内部にメモ紙（８）が入れられた状態を示す。この時、前記ポケット部（３）の側面が、眼鏡などを収納できるように拡張可能に折畳まれたものを使用すると、種々な品物を入れることが出来る重宝なものとなる。このように本発明品を使用すれば、カレンダーを見ながらメモ記入欄にメモを記入する場合に、筆記具（９）を探すことなく簡単に手にすることができ、且つメモしたメモ紙（８）やお知らせがカレンダー本体（１）の表面に掲示されているので、メモ紙（８）やお知らせを探す必要がなくなるのである。
【図面の簡単な説明】
【００１２】
【図１】本発明の実施形態を示す説明図である。
【図２】本発明の別実施形態を示す説明図である。
【図３】本発明の使用状態を示す説明図である。
【符号の説明】
【００１３】
１  カレンダー本体
２  カレンダー表示部
３  ポケット部
４  クリップ
５  受皿部
６  取付具
７  宣伝表示部
９  筆記具
【図１】
2005254529.tif 000003
【図２】
2005254529.tif 000004
【図３】
2005254529.tif 000005